(57)【要約】【課題】胴部にプラスチックラベルが設けられ、プラスチックボトルの内部に炭酸飲料を封入した炭酸飲料入りボトルにおいて、開封後のプラスチックラベルの外観を良好にすることを目的とする。【解決手段】胴部にプラスチックラベルが設けられた炭酸飲料入りボトルにおいて、プラスチックラベルは、接着剤によってプラスチックボトルの胴部に貼着され、接着剤帯状層が、上記プラスチックボトルの周方向、又は周方向から傾斜した方向となるように、プラスチックラベルの裏側に少なくとも２本設け、炭酸飲料が封入された上記プラスチックボトルにおける、開封前のプラスチックラベルは平滑であり、炭酸飲料が封入されたプラスチックボトルにおける、開封後のプラスチックラベルは、少なくとも２本の接着剤帯状層で挟まれた部分に、格子状の凹凸部が形成される。【選択図】図１
2008062944.tif 000002
【特許請求の範囲】
【請求項１】
胴部にプラスチックラベルが設けられ、プラスチックボトルの内部に炭酸飲料を封入した炭酸飲料入りボトルにおいて、
上記プラスチックラベルは、接着剤によって、上記プラスチックボトルの胴部に貼着され、
上記プラスチックラベルを上記プラスチックボトルに貼着した際、上記接着剤から構成される帯状の層が、上記プラスチックボトルの周方向、又は周方向から傾斜した方向となるように、上記プラスチックラベルの裏側に少なくとも２本設け、
炭酸飲料が封入された上記プラスチックボトルにおける、開封前の上記プラスチックラベルは、平滑であり、
炭酸飲料が封入された上記プラスチックボトルにおける、開封後の上記プラスチックラベルは、上記の少なくとも２本の接着剤から構成される帯状の層で挟まれた部分に、格子状の凹凸部が形成される炭酸飲料入りボトル。
【発明の詳細な説明】
【技術分野】
【０００１】
この発明は、プラスチックラベルを接着剤で貼着したプラスチックボトルに炭酸飲料を封入した炭酸飲料入りボトルに関する。
【背景技術】
【０００２】
一般に、ポリエチレンテレフタレート（以下「ＰＥＴ」と略する。）製ボトル等のプラスチックボトルには、容器破損に対する保護、内容物の表示、意匠性の観点から、各種のラベルが設けられている。このラベルとしては、収縮フィルムを用いたものや、収縮フィルムの代わりに、ラベルを構成する基材の両端縁に接着剤を塗布したものをプラスチックボトルに貼着したもの等が知られている（特許文献１〜３等参照）。
【０００３】
【特許文献１】特開２０００−２２７７６０号公報
【特許文献２】特開平０４−２７９４５４号公報
【特許文献３】特開２００５−７０３２３号公報
【発明の開示】
【発明が解決しようとする課題】
【０００４】
ところで、上記プラスチックボトルに入れられる飲料としては、お茶類、ジュース、炭酸飲料等があげられる。これらのうち、炭酸飲料をプラスチックボトルに封入する際には、プラスチックボトルの内圧が陽圧状態に保たれ、そのボトルが外側に膨らんだ状態となる。そして、蓋を開けると、プラスチックボトルの内圧が常圧に戻り、上記プラスチックボトルも通常の状態に戻る。
【０００５】
この場合、収縮フィルムを用いたラベルは、ボトルの変化に追随できるもので問題ないが、接着剤によってラベルとプラスチックボトルとを貼着する場合、プラスチックボトルに炭酸飲料を封入し、そのプラスチックボトルが外側に膨らんだ状態で上記のラベルを貼着すると、蓋を開けて、プラスチックボトルの内容を常圧に戻した際に、図７（ａ）（ｂ）に示すように、ラベル１の接着剤帯状層２を形成した少なくとも一方の端縁付近にしわ３が生じ、外観上、好ましくない場合がある。
【０００６】
そこで、この発明は、胴部にプラスチックラベルが設けられ、プラスチックボトルの内部に炭酸飲料を封入した炭酸飲料入りボトルにおいて、開封後のプラスチックラベルの外観を良好にすることを目的とする。
【課題を解決するための手段】
【０００７】
この発明は、胴部にプラスチックラベルが設けられ、プラスチックボトルの内部に炭酸飲料を封入した炭酸飲料入りボトルにおいて、上記プラスチックラベルは、接着剤によって、上記プラスチックボトルの胴部に貼着され、上記プラスチックラベルを上記プラスチックボトルに貼着した際、上記接着剤から構成される帯状の層が、上記プラスチックボトルの周方向、又は周方向から傾斜した方向となるように、上記プラスチックラベルの裏側に少なくとも２本設け、炭酸飲料が封入された上記プラスチックボトルにおける、開封前の上記プラスチックラベルは、平滑であり、炭酸飲料が封入された上記プラスチックボトルにおける、開封後の上記プラスチックラベルは、上記の少なくとも２本の接着剤から構成される帯状の層で挟まれた部分に、格子状の凹凸部を形成することにより、上記課題を解決したのである。
【発明の効果】
【０００８】
この発明によると、炭酸飲料入りボトルを開封した際、プラスチックラベルのうち、接着剤によって形成された多角形の内側に該当する部分に、格子状の凹凸部からなるしわが形成され、このしわが、一種の模様を形成することとなり、外観を良好にすることができる。
【発明を実施するための最良の形態】
【０００９】
以下において、この発明について詳細に説明する。
この発明にかかる炭酸飲料入りボトル１１は、図１（ａ）（ｂ）に示すような、胴部にプラスチックラベル１２ａや１２ｂが設けられ、プラスチックボトルの内部に炭酸飲料を封入したボトルである。
【００１０】
上記プラスチックラベル１２ａは、プラスチックボトルの胴部の全周に巻きつけられる胴巻きラベルであり、また、上記プラスチックラベル１２ｂは、プラスチックボトルの胴部の一部に貼着されるラベルである。
【００１１】
上記プラスチックボトルとしては、ポリエチレンテレフタレート（ＰＥＴ）、ポリプロピレン等のポリオレフィン等からなるボトルがあげられる。
【００１２】
上記プラスチックラベルは、接着剤によって、上記プラスチックボトルの胴部に貼着されるラベルである。このプラスチックラベルの基材としては、ＰＥＴフィルムや二軸延伸ポリプロピレンフィルム等のポリオレフィンフィルム等があげられる。フィルムの厚さは３０〜１００μｍが好ましく、特に好ましくは４０〜６０μｍである。フィルムの厚みが３０μｍ未満だと、腰が弱すぎるため、機械適性がよくない傾向がある。一方、フィルムの厚みが１００μｍより大きいと、厚すぎて、ボトル開封時にしわが入らない傾向がある。
【００１３】
さらに、未延伸フィルムよりも延伸フィルムの方が好ましい。また、このラベルには、必要に応じて印刷層が設けられる。延伸フィルムとすることにより、印刷適性がよくなり、耐熱性も向上する傾向があるので、感熱接着剤を使用する場合に適性が向上する。好ましい延伸倍率は、２〜２０倍である。２倍未満だと、印刷適性、耐熱性が悪化する傾向があり、一方、２０倍を越えると、均一な厚みのフィルムを安定に作製することが困難であり、ラベルの使用には不適である。
【００１４】
上記接着剤は、上記のプラスチックラベルが貼着された上記プラスチックボトルから剥がれることを抑制できる接着力を有すれば、特に限定されないが、ボトルとの接着部を自由な形状にするために、印刷による加工を行うことが好ましく、この印刷による加工に適した接着剤・粘着剤として、ヒートシール剤、感熱性接着剤、コールドシール剤等が好ましい。この中でも、感熱性接着剤は剥離紙・離型コートが不要であることから特に好ましい。
【００１５】
上記感熱性接着剤とは、熱可塑性樹脂、固体可塑剤、粘着付与剤から構成されるもので、常温では粘着性を持たないが、加熱すると固体可塑剤が溶融し、熱可塑性樹脂・粘着付与剤と相溶することで、熱可塑性樹脂の粘着性を発現させる。このとき、粘着付与剤が粘着性能を向上させる働きをする。
【００１６】
上記接着剤は、上記プラスチックラベル１２（１２ａ及び１２ｂを含む）の裏側に帯状に塗工して設けられる。この接着剤から構成される帯状の層（接着剤帯状層）は、上記プラスチックラベル１２を上記プラスチックボトルに貼着した際、上記プラスチックボトルの周方向、又は周方向から傾斜した方向となるように、少なくとも２本設けられる。このように設けられた接着剤帯状層を、以降、「周方向の接着剤帯状層」と称する。
【００１７】
なお、上記プラスチックラベル１２の四隅付近に接着剤が設けられない場合、このプラスチックラベル１２がプラスチックボトルに対し、めくれが生じることなく、貼着することが困難となる場合がある。この場合は、上記プラスチックラベル１２をプラスチックボトルに確実に貼着するため、上記プラスチックボトルに貼着した際、上記プラスチックボトルの軸方向に、接着剤帯状層を設けることが好ましい。このように設けられた接着剤帯状層を、以降、「軸方向の接着剤帯状層」と称する。
【００１８】
上記周方向の接着剤帯状層ａの設ける場所としては、図２（ａ）や図２（ｂ）に示されるような場所があげられる。なお、図２（ａ）や図２（ｂ）の各図において、周方向の接着剤帯状層ａを斜線で示す。図２（ａ）や図２（ｂ）の各図は、それぞれ、（ａ１）、（ａ２）、（ａ３）、（ｂ１）、（ｂ２）、（ｃ１）、（ｃ２）、（ｃ３）、（ｄ１）、（ｄ２）、（ｅ１）、（ｅ２）、（ｆ１）、（ｆ２）、（ｇ１）、（ｈ１）、（ｈ２）、（ｉ１）、（ｉ２）の符号が付与されている。以下、図２（ａ）や図２（ｂ）の各図について説明する場合は、図の番号を示さず、上記の符号のみを示す。
【００１９】
図２（ａ）や図２（ｂ）において、（ａ１）は、上記プラスチックラベル１２の両側縁部に周方向の接着剤帯状層ａを形成したものである。さらに、（ｂ１）は、上記プラスチックラベル１２の両側縁と平行に、この両側縁から少し内側によった位置に２つの周方向の接着剤帯状層ａを形成したものである。また、（ｃ１）は、上記プラスチックラベル１２の両側縁（すなわち、プラスチックボトルの周方向）に対して所定の角度（θ）をもって斜め方向に、２つの周方向の接着剤帯状層ａを形成したものである。
なお、斜め方向であっても後述するシワは生じるが、より明確に生じさせるためには水平に近いことが好ましい。
【００２０】
さらにまた、（ｄ１）は、（ａ１）の２つの周方向の接着剤帯状層ａに加え、その間にもう１本、周方向の接着剤帯状層ａを設けたものである。そして、（ｄ２）は、（ｄ１）の中央部の周方向の接着剤帯状層ａを、両側の周方向の接着剤帯状層ａの両方から等距離の位置に設けたものである。
【００２１】
また、（ｅ１）は、上記プラスチックラベル１２の内部に２つの平行な周方向の接着剤帯状層ａを形成したものである。この場合、上記プラスチックラベル１２の四隅に接着剤が設けられないので、軸方向の接着剤帯状層ｃが、上記プラスチックラベル１２の両端部に設けられる。さらに、（ｆ１）は、（ｅ１）の２つの平行な周方向の接着剤帯状層ａを途中で屈曲させたものである。
【００２２】
さらにまた、（ｇ１）は、（ａ１）の２つの周方向の接着剤帯状層ａに加え、その間にもう１本、周方向の接着剤帯状層ａを設けたものであり、かつ、その間に設けた周方向の接着剤帯状層ａの途中の一部を欠いたものである。また、（ｈ１）は、（ａ１）で設けた２つの周方向の接着剤帯状層ａのうち、２辺の周方向の接着剤帯状層ａの一部をそれぞれ欠いたものである。
【００２３】
さらに、（ｉ１）は、（ｈ１）で、周方向の接着剤帯状層ａの欠いた部分の内側に、別途、接着剤帯状層を設けたものである。
【００２４】
上記周方向の接着剤帯状層ａの設ける場所の例としては、上記の（ａ１）〜（ｉ１）を例としてあげることができるが、これに加え、軸方向の接着剤帯状層ｃを上記プラスチックラベル１２の両端縁に設けた、（ａ２）、（ａ３）、（ｂ２）、（ｃ２）、（ｃ３）、（ｈ２）、（ｉ２）があげられ、さらに、図２（ａ）や図２（ｂ）に示されていないが、上記の（ａ１）〜（ｉ１）のいずれかの周方向の接着剤帯状層ａを有し、かつ、上記プラスチックラベル１２の両端縁に軸方向の接着剤帯状層ｃを設けたものがあげられる。さらに、（ｅ１）や（ｆ１）のプラスチックラベル１２の内部に設けた周方向の接着剤帯状層ａ又は屈曲した周方向の接着剤帯状層ａの端部同士を接着剤帯状層で連結した（ｅ２）や（ｆ２）をあげることができる。
【００２５】
次に、この発明にかかる炭酸飲料入りボトル１１の製法、作用について説明する。
この発明にかかる炭酸飲料入りボトル１１は、上記プラスチックラベル１２を加熱及び加圧により貼着し、次いで、炭酸飲料を充填する方法、又は炭酸飲料を充填した後に、上記プラスチックラベル１２を加熱及び加圧により貼着する方法により製造される。このようにして得られた炭酸飲料入りボトル１１は、炭酸飲料により発生した二酸化炭素によりボトルが膨張し、プラスチックラベル１２は、ラベル全体として平滑に、すなわち、しわのない状態となる。
【００２６】
この炭酸飲料入りボトル１１は、搬送され、冷蔵状態で保管され、販売される。そして、この炭酸飲料入りボトル１１内の炭酸飲料を飲むときに、開封される。このとき、外方向に膨らんでいたプラスチックボトルは、元の状態に戻る、すなわち、収縮する。これに対し、胴部に巻かれた上記プラスチックラベル１２に収縮性はないため、プラスチックボトルの収縮に伴い、このプラスチックラベル１２には、しわが生じる。接着剤の塗布された部分にはしわは生じ得ないため、その他の部分にしわが生じることとなる。
【００２７】
このしわは、上記周方向の接着剤帯状層ａで挟まれた部分に形成される。具体的には、図２（ａ）や図２（ｂ）の各図の点部で示された凹凸部ｂが該当する。このとき、（ｈ１）、（ｈ２）、（ｉ１）、（ｉ２）等の場合は、周方向の接着剤帯状層ａの欠けた部分には、しわは生じない。また、（ｉ１）、（ｉ２）等の場合は、周方向の接着剤帯状層ａの欠けた部分と、側縁から内側に設けられた接着剤帯状層ａとの間の部分には、しわは生じない。
【００２８】
また、（ｅ１）、（ｅ２）、（ｆ１）、（ｆ２）の２つの接着剤帯状層ａで挟まれた部分以外の部分にもしわは発生しない。さらに、３つの周方向の接着剤帯状層ａを有する（ｄ１）や（ｄ２）、（ｇ１）（（ｇ１）は、内側の周方向の接着剤帯状層ａの一部が欠けている）の場合、３つの周方向の接着剤帯状層ａで挟まれる２つの部分は、いずれもしわが生じる。
【００２９】
上記のしわは、図５や図６に示すように、格子状の凹凸部として表出する。具体的には、格子の部分が凸状となり、格子と格子との間の部分が凹状となる。この格子状の凹凸部は、外観上、一種の立体的なデザインとなるので、この凹凸部が生じるプラスチックラベル１２の色合いや絵柄等と組み合わせることにより、外観上、良好なデザインとなり得る。
【００３０】
なお、上記の格子状の凹凸部の格子は、図５や図６から明らかなように、必ずしも直線が交差した格子となるものではなく、曲線が交差した格子であってもよい。
【００３１】
上記格子状の凹凸部ｂを設ける、プラスチックラベル１２上の位置は、このプラスチックラベル１２に描かれる文字、絵柄、色合い等のデザインにあわせて、図２（ａ）や図２（ｂ）の各図に示されたパターンと組み合わせて、任意に選ぶことができる。例えば、金色、銀色等の光沢色を描いた部分に、この格子状の凹凸部ｂを設けると、この部分の光の反射が乱雑となり、キラキラとした反射光を発し、顧客の注意を引くことが可能となる。また、バーコードの部分にこの格子状の凹凸部ｂを設けると、商品の開封後は、バーコードの読み取りが困難となるので、違法な商品開封を見つけ出すことが容易となる。
【００３２】
ところで、上記のしわは、プラスチックボトルを開栓した際、プラスチックボトルの周方向の収縮量と、プラスチックボトルの軸方向の収縮量とが大きく異なるために生じるものである。
【００３３】
なお、上記の炭酸飲料入りボトル１１において、図１（ａ）のプラスチックラベル１２ａを用いると、図１（ｂ）のプラスチックラベル１２ｂを用いた場合に比べ、上記のしわは、よりはっきりとした凹凸の表れるしわとなる。これは、プラスチックボトルを開栓したときの横方向（ボトルの周方向）の収縮長さが、図１（ａ）の方が大きいためと考えられる。
【実施例】
【００３４】
（実施例１）
胴部が円筒状となっている市販の炭酸飲料入りの１．５リットルペットボトルを購入し、伸縮性ラベルを取り外した。
次いで、図１（ａ）に示される二軸延伸ポリプロピレンフィルム（ＯＰＰフィルム、二村化学（株）製：ＦＯＳ−ＢＴ、１１７ｍｍ×３００ｍｍ）の一方の面に、図３（Ａ）に示す周方向及び軸方向の接着剤帯状層からなるパターンを形成するように、感熱接着剤（東洋インキ製造（株）、ＤＷ１０４０）を、４ｇ／ｍ２となるように塗工した（各接着剤帯状層の幅は、図３（Ａ）に記載の通り。）。そして、図２（ａ）の（ａ２）で示すパターンを形成させた。
次に、上記の接着剤を塗布したＯＰＰフィルムを上記ペットボトルの胴部に巻き付け、１３０℃の温度をかけて加熱圧着した。
その後、蓋を開けて、生じた格子状の凹凸を観察した。複数回、同様の実験を行った。格子状の凹凸は、図２（ａ）の（ａ２）のｂで示される部分の全体に生じていた。そのうち、２つの場合について、生じた格子状の凹凸の写真を図５及び図６に示す。
【００３５】
（実施例２〜６）
周方向及び軸方向の接着剤帯状層が、図３（Ｂ）〜（Ｆ）に示すパターンを形成するように、塗工した（各接着剤帯状層の幅は、図３（Ｂ）〜（Ｆ）に記載の通り。）以外は、実施例１と同様にして、上記ペットボトルの胴部に巻き付け、加熱圧着した。なお、図３（Ｂ）〜（Ｆ）で形成されるパターンは、図２（ａ）及び図２（ｂ）の（ｂ２）、（ｃ３）、（ｈ２）、（ｉ２）、（ｅ２）で示すパターンとなる。
その後、蓋を開けて、生じた格子状の凹凸を観察した。格子状の凹凸は、図２（ａ）（ｂ）の各図のｂで示される部分の全体に生じていた。
【００３６】
（実施例７〜１０）
図１（ｂ）に示される二軸延伸ポリプロピレンフィルム（ＯＰＰフィルム、二村化学（株）製：ＦＯＳ−ＢＴ、１００ｍｍ×１００ｍｍ）を用い、周方向及び軸方向の接着剤帯状層が、図３（Ｇ）〜（Ｊ）に示すパターンを形成するように、塗工した（各接着剤帯状層の幅は、図３（Ｇ）〜（Ｊ）に記載の通り。）以外は、実施例１と同様にして、上記ペットボトルの胴部に巻き付け、加熱圧着した。なお、図３（Ｇ）〜（Ｊ）で形成されるパターンは、図２（ａ）及び図２（ｂ）の（ａ１）、（ｄ２）、（ｄ１）、（ｇ１）で示すパターンとなる。
その後、蓋を開けて、生じた格子状の凹凸を観察した。格子状の凹凸は、図２（ａ）（ｂ）の各図のｂで示される部分の全体に生じていた。
【００３７】
（比較例１〜４）
軸方向の接着剤帯状層が、図４（Ａ）〜（Ｃ）に示すパターンを形成するように、塗工した。また、比較例４の場合は、図４（Ｄ）に示すように、四隅に接着剤層を形成した以外は実施例１と同様にして、上記ペットボトルの胴部に巻き付け、加熱圧着した。
その後、蓋を開けたところ、図４（Ａ）〜（Ｃ）の場合は、接着剤帯状層又は接着剤層のそばのみに、図７（ａ）（ｂ）で示されるようなしわが生じているのみであった。また、図４（Ｄ）の場合は、四隅の接着剤層以外の部分が浮き上がってしまい、しわさえも生じなかった。
【図面の簡単な説明】
【００３８】
【図１】（ａ）（ｂ）この発明にかかる炭酸飲料入りボトルの例を示す斜視図
【図２（ａ）】この発明にかかる炭酸飲料入りボトルに用いられるプラスチックラベルに設けられる接着剤帯状層の各パターンと、格子状の凹凸部が生じる部分を示した模式図
【図２（ｂ）】この発明にかかる炭酸飲料入りボトルに用いられるプラスチックラベルに設けられる接着剤帯状層の各パターンと、格子状の凹凸部が生じる部分を示した模式図
【図３】実施例１〜１０で用いた接着剤帯状層のパターン
【図４】比較例１〜４で用いた接着剤帯状層又は接着剤層のパターン
【図５】この発明にかかる炭酸飲料入りボトルの凹凸部の例を示す図
【図６】この発明にかかる炭酸飲料入りボトルの凹凸部の他の例を示す図
【図７】（ａ）（ｂ）従来におけるラベルに設けられる接着剤帯状層の各パターン
【符号の説明】
【００３９】
１  ラベル
２  接着剤帯状層
３  しわ
１１  炭酸飲料入りボトル
１２、１２ａ、１２ｂ  プラスチックラベル
ａ  周方向の接着剤帯状層
ｂ  格子状の凹凸部
ｃ  軸方向の接着剤帯状層
【図１】
2008062944.tif 000003
【図２（ａ）】
2008062944.tif 000004
【図２（ｂ）】
2008062944.tif 000005
【図３】
2008062944.tif 000006
【図４】
2008062944.tif 000007
【図７】
2008062944.tif 000008
【図５】
2008062944.tif 000009
【図６】
2008062944.tif 000010